(57)【要約】    【課題】飲料水を電気分解の装置を用いることなく水素を豊富に含む水素豊富水に簡単且つ効率的に変えることができるようにする。    【解決手段】浸水性の多孔質のセラミック製のケース１に、飲料水６と反応して水素ガスを発生するマグネシウム粒４と銀粒３を充填して水素豊富水生成器２を構成する。この水素豊富水生成器２を飲料水６とともに容器５に入れ、容器５内で飲料水６とマグネシウム粒４とセラミックと銀粒３を反応させ水素ガスを発生させ、容器５内の飲料水６を銀粒３の作用で浄化するとともに水素を豊富に含み且つ抗菌作用を有する水素豊富水に変える。【選択図】図１
2005161209.tif 000002
【特許請求の範囲】
【請求項１】
飲料水と内部に水が滲入可能なセラミックからなるケースに収納したマグネシウム粒とを容器内で反応させて水素ガスを発生させ飲料水を水素を豊富に含む水素豊富水に変えるようにしたことを特徴とする水素豊富水生成方法。
【請求項２】
前記セラミックが多孔質であることを特徴とする請求項１に記載の水素豊富水生成方法。
【請求項３】
飲料水を前記マグネシウム粒とともに銀粒と反応させこの銀粒によって水素豊富水を浄化するようにしたことを特徴とする請求項１に記載の水素豊富水生成方法。
【請求項４】
前記飲料水が常温あるいは冷却水であることを特徴とする請求項１又は請求項２又は請求項３に記載の水素豊富水生成方法。
【請求項５】
飲料水用の容器に投入可能であり内部に水が滲入可能な筒状のセラミックからなるケースと、該ケースの中空部に収納され飲料水と反応して水素ガスを発生するマグネシウム粒とを備えたことを特徴とする水素豊富水生成器。
【請求項６】
前記セラミックが多孔質であることを特徴とする請求項５に記載の水素豊富水生成器。
【請求項７】
前記ケースに前記マグネシウム粒とともに飲料水を浄化させるための銀粒を収納したことを特徴とする請求項５又は請求項６に記載の水素豊富水生成器。
【発明の詳細な説明】
【技術分野】
【０００１】
本発明は、飲んだり皮膚に塗布することで体内の活性酸素の消去や皮膚の老化によるシミやシワの改善に有効な水素豊富水を生成する方法及び水素豊富水生成器に関する。
【背景技術】
【０００２】
水素を多量に含む水が癌その他の各種の病気の原因とされる活性酸素の消去に有効であるという学説が近年医学界において発表され、注目されている。このような水素を豊富に含む飲料水を生成する装置としては電気分解を利用したものが従来知られている。また、従来、マグネシウムについては次のように考えられている。「金属マグネシウムは室温では水に侵されないが、微粉末を水中で加熱すると、水と反応して水酸化マグネシウムと水素ガスが生成する。・・・」（例えば非特許文献１参照）あるいは、「マグネシウムＭｇ・・・は高温の水蒸気と反応し、水素を発生する・・・」（例えば非特許文献２参照）
【非特許文献１】桜井弘著「元素１１１の新知識」講談社出版８２頁
【非特許文献２】２００２年度教育セミナー  教育テレビ  ＮＨＫ高校講座  化学  日本放送協会・日本放送出版協会編  日本放送出版協会  ６４頁
【発明の開示】
【発明が解決しようとする課題】
【０００３】
電気分解を利用した従来の水素豊富水生成装置は、電源を必要とし、しかも構造が複雑となってしまうため、コスト高となり、消費者に簡単且つ安価に水素豊富水を供給することができなかった。
本発明はこの課題を解決することを目的とする。
また本発明の他の目的は、セラミックの持っている特性を利用して水素発生機能を高めた水素豊富水生成器を提供することである。
【課題を解決するための手段】
【０００４】
上記目的を達成するため本発明は、飲料水と内部に水が滲入可能なセラミックからなるケースに収納したマグネシウム粒とを容器内で反応させて水素ガスを発生させ飲料水を水素を豊富に含む水素豊富水に変えるようにしたものである。
また本発明は、前記セラミックが多孔質であることを特徴とするものである。
また本発明は、飲料水を前記マグネシウム粒とともに銀粒と反応させこの銀粒によって水素豊富水を浄化するようにしたものである。
また本発明は、前記飲料水が常温あるいは冷却水であることを特徴とするものである。
また本発明は、飲料水用の容器に投入可能であり内部に水が滲入可能な筒状のセラミックからなるケースと、該ケースの中空部に収納され飲料水と反応して水素ガスを発生するマグネシウム粒とを備えたものである。
また本発明は、前記ケースに前記マグネシウム粒とともに飲料水を浄化させるための銀粒を収納したものである。
【発明の効果】
【０００５】
本発明は通常の飲料水を水素豊富水に簡単且つ効率的にに変えることができる。
【発明を実施するための最良の形態】
【０００６】
以下に本発明の実施の形態を添付した図面を参照して詳細に説明する。
図中、符号１は水素豊富水生成器２の、弾丸（ＢＵＬＬＥＴ）状のケースであり、その外殻の横断面形状が細長い筒状の多孔質のセラミックにより構成されている。前記ケース１に形成された無数の小孔によりケース１の内部と外部が連通し、ケース１内に液体が出入り自在となっている。ケース１内にはケース１の外殻の小孔より小さな粒からなる銀粒３とマグネシウムの粒４が所定量充填されている。
【０００７】
上記した構成において、図２に示すように、ケース１内に銀粒３及びマグネシウム粒４を充填した水素豊富水生成器２を、常温あるいは冷却した飲料水６の入った容器５内に投入する。水素豊富水生成器２投入後、１０分程度経過すると、容器１内の飲料水６は銀粒５と反応しこれによって浄化される。また飲料水６は、同時にマグネシウム粒４と反応し、つぎの化学式によって水素ガスを発生する。
【０００８】
【化１】
2005161209.tif 000003
【０００９】
その結果、容器１内の常温あるいは冷却した水道水などの飲料水６は、浄化されると同時に水素を豊富に含んだ水となる。現在において、金属マグネシウムは、加熱すると水と反応して水素ガスが生成される、あるいはマグネシウムは、高温の水蒸気と反応し水素を発生するというのが化学界の定説とされている。しかしながら、簡易水素センサーを用いて、上記実施形態のマグネシウム粒の反応を検査したところマグネシウムは、常温（摂氏２５度前後）あるいは冷却した水（摂氏５度前後）とも容易に反応して、水酸化マグネシウムと水素ガスを生成するという新事実が認められた。
【００１０】
これにより、電気分解装置を用いることなく水素豊富水が確実且つ安価に作れるようになった。
上記マグネシウム粒の水との反応による水素発生現象とともに、ケースの構成物質であるセラミックが電子の放出と遠赤外線効果によって水の分子をばらばらにし、水を活性化させている。この水分子に対する活水性能はセラミックが持つ非常に重要な基本的性能である。この性能試験は、水や油の分子がどれくらい小さくなっているかを核磁気共鳴装置に共鳴させたスペクトルの図で示した周波数で分子の大きさを判定する。
【００１１】
未処理の水又は油と、セラミックで処理した水、油との比較になるが、元の周波数よりどのくらい小さくなったかで判定できる。本実施形態で使用したセラミックは、６３．９ＨＺと優秀な数値を得ている。水を活性化させるセラミックの遠赤外線の放射率曲線は、滑らかなカーブを描いていることが理想とされる。本実施形態で使用されるセラミックは標準線から離れることが少なく限りなく理想に近い放射曲線特性を実現している。本実施形態で使用したセラミックは、水を活性化するときに、Ｈ２Ｏ２過酸化水素水を生成する。
【００１２】
このＨ２Ｏ２過酸化水素水は、いわゆる消毒薬として使われるているものであるが、これが本実施形態のセラミックで処理した水の中に、一般の水道水の２倍ほどの量が生成される。この量は、人間や動物にとって全く問題にならない量であるが、細菌にとっては脅威となる。本実施形態のセラミックで処理した水に大腸菌、出血性大腸菌Ｏ１５７、黄色ブドウ球菌を培養して４８時間漬けておくと、９９．６％〜９９．９％減少させることができる。このように、セラミックにより活性化された水は殺菌力を持つことになる。また、飲料水中のセラミックはマグネシウムとも反応し、マグネシウムによる水素の発生を促し飲料水中に大量の水素を発生させることが確認されている。
【００１３】
なお、ケース１の材料としてＰ．Ｐ即ちポリプロピレンを使用した場合に、このケースから溶け出したポリプロピレンの成分に対してアレルギーを引き起こす場合があるが、本実施形態のように、セラミックを使用した場合には、セラミックはアレルギーを引き起こさないのでアレルギーの問題を解消できる。しかも、上記したように、セラミックは、水の活性化、水素発生を促すとともに抗菌作用をも水素豊富水に生じさせる。
【図面の簡単な説明】
【００１４】
【図１】本発明に係る水素豊富水生成器の断面説明図である。
【図２】本発明の全体説明図である。
【符号の説明】
【００１５】
１      ケース
２      水素豊富水生成器
３      銀粒
４      マグネシウム粒
５      容器
６      飲料水
【図１】
2005161209.tif 000004
【図２】
2005161209.tif 000005